(57)【要約】  【課題】  テンドンの再緊張作業を円滑に行えるグラウンドアンカーを提供する。  【解決手段】  支圧板４を介して地盤又は受圧材３に重ね合わせた、アンカーヘッド等から成る定着材５に、該定着材５の内部に配置した弾性材より成る止水管１１に通したテンドン１の頭部側端部を止着する。前記定着材５をジャッキで引っ張って前記テンドン１を再緊張したときに形成される、前記定着材５と前記支圧板４との間の隙間ａに、再緊張維持用のシム１３を係合するようにする。そして、前記シム１３を、前記止水管１１を内側に嵌め込む内径を備え、しかも、周方向に相対する両端間が前記止水管１１の外径より狭い離開幅の欠円リング体で構成する。【選択図】    図１
2008280776.tif 000002
【特許請求の範囲】
【請求項１】
支圧板を介して地盤又は受圧材に重ね合わせた、アンカーヘッド等から成る定着材に、該定着材の内部に配置した弾性材より成る止水管に通したテンドンの頭部側端部を止着し、前記定着材をジャッキで引っ張って前記テンドンを再緊張したときに形成される、前記定着材と前記支圧板との間の隙間に、再緊張維持用のシムを係合するようにしたグラウンドアンカーにおいて、前記シムを、前記止水管を内側に嵌め込む内径を備え、しかも、周方向に相対する両端間が前記止水管の外径より狭い離開幅の欠円リング体で構成した、グラウンドアンカー。
【請求項２】
シムの周方向に相対する両端縁間に一致させて係合させる補助シムを備えた、請求項１記載のグラウンドアンカー
【請求項３】
シムの周方向に相対する両端縁を、外端から内端に向って互いに次第に近接する傾斜状にした請求項２記載のグラウンドアンカー。
【請求項４】
シムの内周縁と外周縁の一方又は双方に切欠を設けた、請求項１乃至３項の内いずれか１項記載のグラウンドアンカー。
【発明の詳細な説明】
【技術分野】
【０００１】
本発明は、斜面や法面等の傾斜地を安定させるために用いるグラウンドアンカーに関するものである。
【背景技術】
【０００２】
支圧板を介してコンクリートブロック等の受圧材にアンカーヘッド等から成る定着材を重ね合わせ、該定着材にテンドンの頭部側端部を、前記定着材に挿入した弾性の止水管を通して止着した構造のグラウンドアンカーは公知である（例えば特許文献１）。
【０００３】
この公知のグラウンドアンカーを再緊張する場合、定着材をジャッキで引っ張ってテンドンを地表方向へと移動させ、その移動量によって生じる支圧板と定着材との隙間に欠円リング状のシムを係合して充填させ、前記の移動量を保持するようにしているのが一般である（例えば特許文献２、３参照）。
【０００４】
そして、従来のシムは特許文献２、３或いは特許文献４に記載されているように、同じ形状の半割りリングを基本形状とし、これを２枚１組としてリング状に組合わせて使用するものである。
【０００５】
【特許文献１】特開平９−２７９５７６号公報
【特許文献２】特開２００５−２６４６５０号公報
【特許文献３】特開平１１−２０９９７４号公報
【特許文献４】特開２００２−２４２４３８号公報
【発明の開示】
【発明が解決しようとする課題】
【０００６】
この種のアンカーの設置場所の多くは法面等の傾斜地が対象であるから、地山表面から突出するアンカー頭部が傾斜状態になる。このため、一対の半割りリング体で成るシムを用いた場合には、ジャッキの荷重を解放して挟み込むまでの間にシムが上記隙間から脱落したり、ずれるなどして２枚を合わせて１つのリングの状態に保持しにくく、テンドンの再緊張操作が煩雑になるという問題点があった。なお、ずれた状態では、アンカーヘッドやねじ付き球面ワッシャーの側面から一部が飛び出し、防錆用のキャップを装着できなくなるおそれもある。
【０００７】
本発明は、従来例のこのような問題点に着目し、テンドンの再緊張作業を円滑に行えるグラウンドアンカーを提供することを目的として創案したものである。
【課題を解決するための手段】
【０００８】
支圧板を介して地盤又は受圧材に重ね合わせた、アンカーヘッド等から成る定着材に、該定着材の内部に配置した弾性材より成る止水管に通したテンドンの頭部側端部を止着し、前記定着材をジャッキで引っ張って前記テンドンを再緊張したときに形成される、前記定着材と前記支圧板との間の隙間に、再緊張維持用のシムを係合するようにしたグラウンドアンカーにおいて、前記シムを、前記止水管を内側に嵌め込む内径を備え、しかも、周方向に相対する両端間が前記止水管の外径より狭い離開幅の欠円リング体で構成したことを基本的手段とする。
【０００９】
この基本的手段にシムの周方向に相対する両端縁間に一致させて係合させる補助シムを用いる点を付加することにより、シムと補助シムとの間でずれが生じることがなく、一体化させることができ、止水管に対して最も近接した位置に配せられるから、安定した、テンドンの再緊張状態を得られる。
【００１０】
また、シムの周方向に相対する両端縁を、外端から内端に向って互いに次第に近接する傾斜状にした点を付加することにより、定着材に対しての組付け作業すなわち隙間への係合作業を円滑に行うことができ、さらに、シムの内周縁と外周縁の一方又は双方に切欠を設けた点を用いれば、シムを重ねて使用する場合（隙間の幅によって）、切欠を利用して複数枚をいわば一体化して隙間に係合することができる。
【発明の効果】
【００１１】
本発明によれば、再緊張時に生じる隙間にシムを係合するようにしたから、従前と同様にテンドンの再緊張状態を確実に維持し、止水効果の有るグラウンドアンカーを提供することができることは勿論、前記シムの隙間への係合に際しては、止水管の弾性変形を利用するものであるから、係合後には止水管から外れにくく、グラウンドアンカーの主たる適用場所である傾斜地における下側から係合しても外れにくく、従って、場所を選ばず、再緊張操作を円滑に行えるグラウンドアンカーを提供できる。
【実施例】
【００１２】
図面は、本発明に係るグラウンドアンカーの一実施例を示し、図１は断面図、図２は再緊張作業途中時の断面図、図３は図１のａ−ａ線断面図、図４は止水管とシムの関係を示す正面図である。
【００１３】
図中、１は頭部側にシース管１ａを被覆したテンドン（引張鋼材）で、テンドン１は、地盤２に設けた穴部１２に挿入されて該穴部１２に充填した図示省略したグラウト材で固定されてアンカー体を構成する。
【００１４】
このテンドン１は、自由端側の天端部すなわち頭部側端部を前記地盤２の表面に設置した受圧材３（コンクリート構造物や鉄板等で構成するが省略する場合もある）に重ね合わせた支圧板４を通じて地盤２表面に突出させて定着材５を止着し、該定着材５を前記支圧板４に圧接してその緊張状態が維持されて地盤の安定化が図れるようにしてある。
【００１５】
定着材５は、外周面に雄ねじ６ａを形成し、上面に凹状球面部を設けた凹状球面ワッシャー６と、該凹状球面ワッシャー６の凹状球面部に一致する突状球面部を下面に備えた突状球面ワッシャー７及び前記テンドン１の挿通孔８を備え、該挿通孔８にクサビ９を打込んでテンドン１の緊張力が伝達されるアンカーヘッド１０とで構成し、前記ワッシャー６，７の内部に配した、ポリエチレン等の弾性素材から成る止水管１１と共に、テンドン１の頭部側端部に止着してテンドン１に付与した緊張力を支圧板４に伝達させるようにしたものである。
【００１６】
本発明に係るグラウンドアンカーは、この定着材５によるテンドン１に付与した緊張力の低下時に、前記凹状球面ワッシャー６に設けた、キャップ１６取付け兼用の雄ねじ６ａを利用してジャッキを取付け、該ジャッキにより定着材５を前記アンカー対に対して牽引してテンドン１に再緊張を与え、該再緊張によって生じた定着材５（実施例では凹状球面ワッシャー６）と支圧板４との間に生じた隙間ａにシム１３を係合して緊張を維持するようにしたものである。
【００１７】
そして、グラウンドアンカーの設置に当って、穴部１２内に所要数のテンドン１を挿入して前記穴部１２内にグラウト材を注入固化させ、支圧板（アンカープレート）４上に凹状球面ワッシャー６と凸状球面ワッシャー７を重ね合わせて設置し、次いで、止水管１１を、その底壁１１ａに設けた透孔１１ｂに、前記支圧板４より突出する、テンドン１の頭部側端部を通しつつ、凸状球面ワッシャー７の内周面に沿って、上端の鍔部１１ｃが凸状球面ワッシャー７の内周面に設けた係合段部７ａに係合するまで押し込み、定着材５を構成するワッシャー６，７の内部に位置させて装置するのである。
【００１８】
次いで、止水管１１より突出するテンドン１の端部を対応する挿通孔８に挿通させてアンカーヘッド１０を、互いに同面上に位置する凸状球面ワッシャー７と止水管１１上に重ね合わせ、テンドン１に緊張力を作用させ、作用させた状態で、挿通孔８にクサビ９を打ち込むことによってテンドン１に緊張力が付加された状態のグラウンドアンカーを得ることができ、凹状球面ワッシャー６の雄ねじ６ａを利用して防錆用キャップ１６を定着材５に組付けることによって防錆効果の有るグラウンドアンカーとするのである。
【００１９】
そして、経年変化その他の原因によるテンドン１の緊張力の低減を見計って、防錆用キャップ１６を取り外して凹状球面ワッシャー６の雄ねじ６ａを利用してジャッキを組付け、定着材５を介してテンドン１を再緊張し、再緊張作業によって生じる定着材５と支圧板４との間に生じる前記隙間ａにシム１３を定着材５の半径方向に嵌め込んで当該隙間ａを充たし、テンドン１の再緊張時の状態のグラウンドアンカーを得られるのである。
【００２０】
再緊張時の状態を維持するために隙間ａに係合する充填材は、実施例の場合は、径方向に互いに、係合してリング状を形成する前記シム１３と補助シム１４とで構成するが、補助シム１４を省略しても隙間ａを充たして再緊張状態を維持することができるから、省略しても、必ずしも不都合はない。
【００２１】
シム１３は、金属プレートをプレス加工や切削等により得たもので、一端を開口した欠円リング状の平板体で成り、周方向に相対する（開口を構成する）端縁１３ａ，１３ａの離開幅を前記止水管１１の外形より狭くして、止水管１１の外径とほぼ同径の内周縁１３ｂに嵌め込んだ止水管１１が前記端縁１３ａ，１３ａ間を通じて離脱しないようにしてある。
【００２２】
端縁１３ａ，１３ａは、該端縁１３ａの外端１３ａ´から内端１３ａ´´に至るに従って次第に近接する傾斜状にし内端１３ａ´´，１３ａ´´間を最も狭い幅部位とし、実施例はこの幅部位において止水管１１の外径より最も狭い部分としてある。
【００２３】
シム１３は、端縁１３ａの傾斜状を利用して止水管１１を無理なく弾性変形させ、止水管１１の最広経幅部を前記内端１３ａ´´，１３ａ´´間が通過して該止水管１１に係合され、定着材５を構成する凹状球面ワッシャー６と支圧板４間に介在、すなわち、前記隙間ａに係合する。
【００２４】
このシム１３に半径方向に係合する前記補助シム１４は、シム１３と同様に金属プレートをプレス加工等により構成し、シム１３の前記端縁１３ａ，１３ａに係合できる長さの、円弧状の帯状体で構成し、長手方向の両端縁１４ａ，１４ａをシム１３側の前記端縁１３ａ，１３ａの傾斜状と一致する逆傾斜状、すなわち、内端１４ａ´´から外端１４ａ´に至るに従って両端縁１４ａ，１４ａ同士が次第に離開する傾斜状にし、外端１４ａ´部を突子状と成してシム１３の外端１３ａ´に係止するようにしてある。
【００２５】
この補助シム１４は、隙間ａに係合したシム１３の係合方向に相対する方向に、シム１３が係合した隙間ａの残余の空隙部に押し込み、隙間ａを充たしつつシム１３と係合され、シム１３によるテンドン１の再緊張状態時の維持を補助する。
【００２６】
なお、図中、１８はシム１３と補助シム１４に設けた切欠で、この切欠１８にゴムバンドを係合させてそれぞれ複数枚のシム１３と補助シム１４を、いわば一体化して間隙ａに係合するようにするためのもので、間隙ａの幅径が単数枚のシム１３等で充たすことができないときに利用する。この切欠１８は、図示ではシム１３と補助シム１４の内外の周縁１３ｂ，１３ｃ、１４ｂ，１４ｃに相対するように設けてあるが、相対する一方を省略しても不都合はないし、図示の形状に限る必要はなく、要はゴムバンド等の結着体を係止できれば良いのである。
【図面の簡単な説明】
【００２７】
【図１】断面図。
【図２】再緊張作業途中時の断面図。
【図３】図１のａ−ａ線断面図。
【図４】止水管とシムの関係を示す正面図。
【符号の説明】
【００２８】
１      テンドン
３      受圧材
４      支圧板
５      定着材
１１    止水管
１３    シム
【図１】
2008280776.tif 000003
【図２】
2008280776.tif 000004
【図３】
2008280776.tif 000005
【図４】
2008280776.tif 000006